(57)【要約】      （修正有）【課題】詰まりによる排液トラブルを改善した医療用ドレーンチューブを提供する。【解決手段】円環状断面のストレートチューブで排液通路となる排液部と、その先端部に接合される集液部とで構成される。集液部は、排液部断面外径と大略同等の相当外径を有し、長さ方向軸を有する均一な異形断面形状であり、コア部分とコア部分から外側に延びる複数の支柱部分と、支柱部分の外方向端部のそれぞれに接続される複数のオーバーハング部分からなり、長さ方向に延び、外方向に開放する間隙部を備えた複数の奥広の溝腔を形成してなる細長体である。さらに集液部ならびに排液部が、それぞれ長手方向軸に対して直交する面で截断されてなる断端面で当接し、一体的に接合されている。【選択図】図１
0003168148.tif 000002
【実用新案登録請求の範囲】
【請求項１】
円環状断面のストレートチューブで排液通路となる排液部と、その先端部に接合され体内に留置される集液部とで構成され、該集液部は、該排液部断面外径と大略同等の相当外径を有し、長さ方向軸を有する均一な異形断面形状であり、コア部分と該コア部分から外側に延びる複数の支柱部分と、該支柱部分の外方向端部のそれぞれに接続される複数のオーバーハング部分からなり、長さ方向に延び、外方向に開放する間隙部を備えた複数の奥広の溝腔を形成してなる細長体であり、さらに該集液部ならびに該排液部が、それぞれ長手方向軸に対して直交する面で截断されてなる断端面で当接し、一体的に接合されてなる複合細長体で、ショアＡ硬度４ ０〜８５度の弾性体材料により成形されたことを特徴とする医療用ドレーンチューブ。
【請求項２】
前記集液部断面の前記相当外周を長円形となし、前記排液部と前記集液部との接合部近傍で、前記排液部断面を円環状から次第に扁平に変形させ、外周が大略前記集液部の長円形相当外周に等しくなるようにしてなる複合細長体であることを特徴とする請求項第１項記載の医療用ドレーンチューブ。
【請求項３】
前記集液部の支柱部分の一部を、前記集液部と前記排液部が接合されてなる接合面を越えて前記排液部の内腔にまで延ばし、該内腔の内壁に一体的に接合したことを特徴とする請求項第１項、第２項のいずれかに記載の医療用ドレーンチューブ。
【請求項４】
前記集液部ならびに前記排液部が、それぞれ長手方向軸に対し互いに補角をなす斜角度で交わる面で截断されてなる断端面で当接し、互いに一体的に接合されてなることを特徴とする請求項第１項〜第３項のいずれかに記載の医療用ドレーンチューブ。
【請求項５】
前記溝腔の外方向へ開放する間隙部を、前記排液部の管壁を部分的に排除する形で、前記接合面を越えて排液部域内まで延長させたことを特徴とする請求項第１項〜第４項のいずれかに記載の医療用ドレーンチューブ。
【請求項６】
前記コア部と前記支柱部分の一部を、前記接合面から数ミリの短区間切除したことを特徴とする請求項第１項〜第４項のいずれかに記載の医療用ドレーンチューブ。
【請求項７】
前記溝腔を保持しつつ前記間隙部を前記接合面から数ミリの短区間だけ塞ぎ、前記コア部と前記支柱部分の一部を、前記接合面から該閉塞区間以遠まで切除したことを特徴とする請求項第１項〜第４項のいずれかに記載の医療用ドレーンチューブ。
【請求項８】
前記排液部を前記集液部より高硬度の材料で形成したことを特徴とする請求項第１〜第７項のいずれかに記載の医療用ドレーンチューブ。
【請求項９】
前記移行部あるいは、前記移行部とそれに続く排液部の一部を、排液部本体の材料より高硬度の材料で形成したことを特徴とする請求項第１〜第７項のいずれかに記載の医療用ドレーンチューブ。
【考案の詳細な説明】
【技術分野】
【０００１】
本考案は、手術後にその創部から滲出する血液や体液の排出を行う、ドレーンチューブに関するものである。
【背景技術】
【０００２】
ドレーンチューブは外科用医療用具として体液の排出に多用されており、さまざまな形状、材質の製品が市販されている。もっとも一般的には、体内に留置されるチューブの先端部の側面や先端に集液のため開口を設け、これら側口や先端口から体液がチューブ内に流入し、排出されるドレーンチューブが使用されている。このタイプのドレーンチューブの欠点は、患者の創部が治癒する際に、体組織がチューブの側口内に入り込むように成長し、側口が塞がれて排液が困難になること。さらにはチューブ抜去の際に体組織を傷つけ患者に大きな苦痛を与える点にある。
【０００３】
これら排液トラブルや、患者に対する侵襲を軽減すべく、いくつかの提案がなされているが、特公平２−１７１８５号公報においては、体内に留置される先端側の集液部を、長さ方向に延長し、外方向に開放する間隙を備えた複数の奥広の溝腔を形成してなるチューブ体が提案されている。このものは、体内に留置される集液部が均一断面形状で長さ方向に延びる形状のため、用済み後チューブを取り除くに際し、たとえ体組織が溝腔内に入り込んでいても、引っかかりが無いので、局部組織を損傷することなくスムーズに抜去することができ、患者に与える苦痛を大幅に抑制することができる。
【０００４】
しかしながら、上記提案では、集液部（ドレーン本体）から排液部（流出部）へ移行する部分に問題点があり、当該部で排液トラブルが生じやすい。すなわち突き合わされた態様で端部と端部とが接続された仕様については、両部の曲げ剛性の違いから、この繋ぎ目に曲げ応力が集中するため容易にキンクし、流路が閉塞してしまうおそれがある。また両部をカラーで繋ぐ仕様については、カラーが被さった集液部（ドレーン本体）は、すべての管腔の外方への開放溝が塞がれてトンネル状の隘路が形成される。そのためこの狭いトンネル部分ではしばしば組織塊や凝血塊により移行部排液通路の詰まりが発生する。
【先行技術文献】
【特許文献】
【０００５】
【特許文献１】特公平２−１７１８５号公報
【考案の概要】
【考案が解決しようとする課題】
【０００６】
本考案は、上記特公平２−１７１８５号に係るドレーンチューブの特徴である治癒後にドレーンチューブが患者への苦痛を伴うことなく、容易に抜去できる特性を生かしつつ、移行部でしばしば発生する流路の閉塞による排液トラブルを解消すべくなされたものである。
すなわち集液部から排液部へ曲げ剛性を緩やかに移行せしめ、キンクを生じにくくするとともに、該移行部における排液通路の隘路を排除し、詰まりが生じにくく、円滑な排液を可能とするドレーンチューブの提供を目的とする。
【課題を解決するための手段】
【０００７】
本考案に係るドレーンチューブは、円環状断面のストレートチューブで排液通路となる排液部と、その先端部に接合され体内に留置される集液部とで構成され、該集液部は、該排液部断面外径と大略同等の相当外径を有し、長さ方向軸を有する均一な異形断面形状であり、コア部分と該コア部分から外側に延びる複数の支柱部分と、該支柱部分の外方向端部のそれぞれに接続される複数のオーバーハング部分からなり、長さ方向に延び、外方向に開放する間隙を備えた複数の奥広の溝腔を形成してなる細長体であり、さらに該集液部、ならびに該排液部が、それぞれ長手方向軸に対して直交する面で截断されてなる断端面で当接し、一体的に接合されてなり、特公平２−１７１８５号に係るドレーンチューブと同様の複合細長体で、ショアＡ硬度４０〜８５度の弾性体材料により成形されたことを特徴とする医療用ドレーンチューブである。
【０００８】
また前記集液部断面の相当外周を長円形となし、前記排液部と前記集液部との接合部近傍で、前記排液部断面を円環状から次第に扁平に変形させ、外周が大略前記集液部の長円形相当外周に等しくなるようにすることもできる。
【０００９】
また前記集液部の支柱部分の一部を、前記集液部と前記排液部が接合されてなる接合面を越えて前記排液部の内腔にまで延ばし、該内腔の内壁に一体的に接合するようにすることもできる。
【００１０】
また前記集液部ならびに前記排液部が、それぞれ長手方向軸に対し互いに補角をなす斜角度で交わる面で截断されてなる断端面で当接し、互いに一体的に接合されてなるようにすることもできる。
【００１１】
さらに前記溝腔の外方向へ開放する前記間隙を、前記排液部の管壁を部分的に排除する形で、前記接合面を越えて排液部域内まで延長させるようにすることもできる。
【００１２】
前記コア部と前記支柱部分の一部を、前記接合面から数ミリの短区間切除するようにすることもできる。
【００１３】
また前記溝腔を保持しつつ前記間隙を前記接合面から数ミリの短区間だけ塞ぎ、前記コア部と前記支柱部分の一部を、前記接合面から該閉塞区間以遠まで切除するようにすることもできる。
【００１４】
また前記排液部を前記集液部より高硬度の材料で形成するようにすることもできる。
【００１５】
さらには前記移行部あるいは、前記移行部とそれに続く排液部の一部を、排液部本体の材料より高硬度の材料で形成するようにすることもできる。
【考案の効果】
【００１６】
本考案は、上述の通り構成されているので、次に記載する効果を奏する。
治癒後のドレーンチューブ抜去に際して、長手方向に均一断面で延びる形状のため、生体組織に引っかかることがなく、容易に抜去でき患者への苦痛を軽減することができ、また集液部１１から排液部１２への移行部１３における排液通路９に隘路を形成することなく、さらには接合部の曲げ剛性が補強され、あるいは曲げ剛性が緩やかに変化して曲げ応力を分散させているので、該移行部でのキンクが効果的に防止され、排液部通路９での狭窄や閉塞が防止され、詰まりのない円滑な排液がなされる。
【図面の簡単な説明】
【００１７】
【図１】本考案の一実施例を示すドレーンチューブの斜視図である。
【図２】上記ドレーンチューブの平面図と断面図である。
【図３】集液部断面が長円形の実施例を示すドレーンチューブの平面図と断面図である。
【図４】集液部と排液部との接合方法で斜角接合例を示すドレーンチューブの平面図である。
【図５】接合面の集液部支柱を排液部側まで延ばす接合実施例を示す平面図と断面図である。
【図６】接合面の排液部外壁を部分排除して集液部の間隙部を延ばす接合実施例を示す平面図と断面図である。
【図７】接合面の集液部コア部と支柱部を部分排除して排液部の内腔を延ばす接合実施例を示す平面図と断面図である。
【図８】接合面の集液部コア部と支柱部を部分排除し、且つ、その集液部側の間隙部を溶融樹脂部材で塞ぐ接合実施例を示す平面図と断面図である。
【実施例】
【００１８】
実施例1
図１は、本考案によるドレーンチューブの一実施例で、前記集液部１１ならびに前記排液部１２が、それぞれ長手方向軸に対し直交する面で截断されてなる断端面で当接し、互いに一体的に接合されてなるものの斜視図を示す。
図２には、その平面図と断面図を示す。生体内で生じた出血、滲出液などは、集液部１１の長手方向に延びる複数の間隙部６と複数の溝腔５を通り、排液部１２の内腔に導かれ体外に排出される。間隙部６と溝腔５が、長手方向に均一な断面形状で延びてなる形状のため、集液部１１全長のいずれの位置からも、集液がなされるので僅かの陰圧で、迅速に効率的に排液がなされる。また、たとえ体組織が溝腔５内に入り込んでも、引き抜き方向にひっかかりがないためスムーズに抜去することができ、患者への侵襲が抑制される。ドレーンチューブ材料としては、生体内組織への損傷を防止するための柔軟性と、体圧や吸引圧に耐える強さを兼ね備えた機械的特性が必要で、ショアＡ硬度４０〜８５度の弾性体材料が適しており、就中生体適合性に優れたポリウレタンエラストマーやシリコンエラストマー等が好適に使用される。しかしながら、医療用として使用されるその他の弾性体材料を排除するものではない。また、カテーテルの留置位置を透視により容易に確認できるようにするため、これらの弾性体材料にレントゲン造影性の硫酸バリウム等無機質粉体が混練されたものを、ドレーンチューブ全体、あるいは部分的造影ライン7や造影スポットとして用いることもできる。
【００１９】
実施例2
図３には、前記集液部断面の相当外周を長円形とした実施例を示すもので、前記排液部１２と前記集液部１１との接合面１４近傍で、前記排液部１２断面を円環状から次第に扁平に変形させ、外周が大略前記集液部１１の長円形相当外周に等しくなるようしたものである。集液部１１を扁平形状にすることで、周囲の器官、体組織への局部的な加圧を和らげることができるため、心嚢部や縦隔部などへの留置に好適である。
【００２０】
実施例3
図４は、前記集液部１１ならびに前記排液部１２が、それぞれ長手方向軸に対し互いに補角をなす斜角度で交わる面で截断されてなる断端面で当接し、互いに一体的に接合されてなるようにしたものである。このようにすると、曲げ剛性の異なる両部間の移行部１３における曲げ応力の集中が緩和され、当該部でキンクし難くなり、狭窄化や閉塞の防止に有効である。
【００２１】
実施例4
図５〜図７は、本考案によるドレーンチューブの異なる移行部１３の態様を示し、それぞれの態様における集液部１１、接合面１４、排液部１２の断面形状を併せて図示したものである。図５には、前記集液部１１の支柱部分３の一部を、接合面１４を越えて前記排液部１１の内腔にまで延ばし、該排液部１２の管壁８の内面に一体的に接合してなる実施例を示す。このようにすることで、接合面に続く排液部通路９の有効断面積を損うことなく、曲げ剛性を補強することができ、当該移行部１３でのキンクを効果的に防止することができる。
図６には、前記溝腔５の外方向に開放する間隙部６を、前記排液部１２の管壁８を部分的に排除する形で、前記接合面１４を越えて排液部１２域内まで延長させるようにしてなる実施例を示す。前記集液部１１における実質的な排液部通路９は、前記溝腔５のみならず前記間隙部６の両方により形成される空間からなっている。図１に示すように、前記溝腔５は前記接合面１４で前記排液部１２の内腔につながっているものの、前記間隙部６は前記排液部１２の管壁８に当たり終焉しているので、実質的な排液部通路９は、当該終焉部で前記溝腔５のみとなり、狭くなっている。さらに、当接する前記集液部１１と前記排液部１２との接合は、接着剤を用いたり、熱融着などにより行われるが、該接合面１４およびその近傍は、接着剤や溶融樹脂のはみだしや、作業に伴う加圧による変形により、前記溝腔５および前記間隙部６が狭められたり、閉塞されがちである。そこで図６の如く、前記排液部１２の管壁８を部分的に排除する形で、前記溝腔５の外方向へ開放する前記間隙６を、接合面１４を越えて排液部１２域内まで延長させるようにすると、上述の前記溝腔５の狭小化あるいは前記間隙部６の閉塞によるトンネル形成などの如き実質的な排液部通路９の隘路形成が排除され、体液が停滞することがなくなり、円滑な集液ならびに排液が維持されるようになる。
図7のように前記コア部２の端と前記支柱部３の端の一部を、前記接合面１４から５〜１０ｍｍ程度の小区間切除し、謂わば、排液部１２内腔を集液部１１域まで延長することにより、上記と同様に排液部通路９の隘路形成を排除することができる。
図８に、前記溝腔５を保持しつつ前記間隙６を前記接合面１４から数ミリの短区間だけ溶融樹脂部材で塞ぎ、前記コア部２と前記支柱部３の一部を、前記接合面１４から該閉塞区間以遠まで切除した実施例を示す。このように、前記集液部１１の前記間隙部６を溶融樹脂で塞ぐようにして接合すれば、当接部のみの接合よりも両部間の接着面積が増し、より強固な接合が得られ好都合である。またこの場合、前記コア部２と前記支柱部３の一部を、該閉塞区間以遠まで切除しているので、上述の排液部通路９での隘路は形成されない。
【符号の説明】
【００２２】
１１・・・集液部
１２・・・排液部
１３・・・移行部
１４・・・接合面
２・・・コア部
３・・・支柱部
４・・・オーバーハング部
５・・・溝腔
６・・・間隙部
７・・・造影ライン
８・・・管壁
９・・・排液部通路
【図１】
0003168148.tif 000003
【図２】
0003168148.tif 000004
【図３】
0003168148.tif 000005
【図４】
0003168148.tif 000006
【図５】
0003168148.tif 000007
【図６】
0003168148.tif 000008
【図７】
0003168148.tif 000009
【図８】
0003168148.tif 000010